(57)【要約】【課題】  臨床診断に有用な臨床検査値を臨床学的分類項目毎のカウンタ値から演算し、出力することができる臨床標本情報処理装置、臨床標本情報処理システム及び臨床標本情報処理プログラムを提供する。【解決手段】  入力されたカウンタ値から臨床検査値を演算させる機能を有する臨床標本情報処理装置、システム及びプログラムであり、キーを臨床学的分類項目に対応したカウンタとして動作させる。カウンタ値から臨床検査値を演算させるための演算式は、使用者が任意に、かつ容易に設定することができ、カウンタ値から演算式を用いて臨床検査値を演算することができる。【選択図】  なし【特許請求の範囲】
【請求項１】
臨床標本から得られる情報を処理し、前記情報から臨床検査値を取得する臨床標本情報処理装置であって、
前記臨床標本内の検査対象物を、所定の分類項目毎にカウントしたカウント値を記憶するカウント値記憶手段と、
前記臨床検査値を、前記カウント値から演算するための演算式を記憶する演算式記憶手段と、
前記演算式を使用して前記カウント値から前記臨床検査値を演算する演算手段と、
前記演算手段によって得られる前記臨床検査値を診断用項目と対応付けて出力する出力手段と、
を備える臨床標本情報処理装置。
【請求項２】
前記演算式記憶手段に記憶される演算式を、前記診断用項目と対応付けて設定するための演算式設定手段をさらに備える請求項１に記載の臨床標本情報処理装置。
【請求項３】
前記演算手段は、前記カウント値の総数が所定数の場合の前記臨床検査値を演算する請求項１又は２に記載の臨床標本情報処理装置。
【請求項４】
前記分類項目にそれぞれ対応するキーを有する入力手段をさらに備え、前記分類項目と前記キーとの対応関係を設定するキー設定手段をさらに備える請求項１乃至３のいずれか１項に記載の臨床標本情報処理装置。
【請求項５】
前記カウント値記憶手段に記憶された前記カウント値を、前記カウント値の総数が所定数である場合の変換カウント値に変換するカウント値変換手段をさらに備える請求項１乃至４のいずれか１項に記載の臨床標本情報処理装置。
【請求項６】
前記演算手段は、前記カウント値変換手段が前記カウント値を変換した場合に、前記臨床検査値を演算するように構成される請求項５に記載の臨床標本情報処理装置。
【請求項７】
前記演算手段は、前記カウント値の総数が所定数に到達した場合に、前記臨床検査値を演算するように構成される請求項１乃至６のいずれか１項に記載の臨床標本情報処理装置。
【請求項８】
前記出力手段は、前記分類項目及びそれに対応する前記カウント値を、前記臨床検査値と共に出力するように構成されている請求項１乃至７のいずれか１項に記載の臨床標本情報処理装置。
【請求項９】
前記臨床検査値の基準範囲を記憶する基準範囲記憶手段と、
前記臨床検査値が前記基準範囲に入っているか否かを判定する判定手段とをさらに備え、
前記判定手段が、前記臨床検査値が前記基準範囲外であると判定する場合に、前記出力手段が前記基準範囲外である旨を出力する請求項１乃至８のいずれか１項に記載の臨床標本情報処理装置。
【請求項１０】
前記演算式は、前記所定の分類項目毎のカウント値に重み付けを行って前記臨床検査値を演算する演算式である請求項１乃至９のいずれか１項に記載の臨床標本情報処理装置。
【請求項１１】
前記臨床標本は、血液塗抹標本である請求項１乃至１０のいずれか１項に記載の臨床標本情報処理装置。
【請求項１２】
前記臨床検査値は、アルカリホスファターゼスコアである請求項１乃至１１のいずれか１項に記載の臨床標本情報処理装置。
【請求項１３】
請求項１乃至１２のいずれか１項に記載の臨床標本情報処理装置と、
前記臨床標本情報処理装置に接続され、前記被験者に関する情報を記憶する管理装置とを含む臨床標本情報処理システム。
【請求項１４】
記憶手段と、出力手段とを有するコンピュータを、臨床標本内の検査対象物を所定の分類項目毎にカウントしたカウント値を前記記憶手段に記憶させる手段と、
前記カウント値から臨床検査値を演算するための演算式を使用して前記カウント値から前記臨床検査値を演算する演算手段と、
前記演算手段によって得られる前記臨床検査値を、診断用項目と対応付けて前記出力手段に出力させる手段として機能させる臨床標本情報処理プログラム。
【発明の詳細な説明】
【技術分野】
【０００１】
本発明は、臨床標本情報を処理するための装置、システム及びプログラムに関するものである。
【背景技術】
【０００２】
臨床検査として代表的な血液細胞の検査においては、検査対象である血液をプレパラート上に乗せ、顕微鏡を用いて観察する。この血液細胞検査では、通常、分類カウンタを用いて所定領域に存在する白血球の分類カウントを行う。分類カウント中に赤血球や血小板等の形態異常が発見された場合、異常細胞を顕微鏡に付属したカメラ等で撮像し、撮像した画像をカルテ番号、被験者氏名、年齢、性別、検査実施日等の被験者データと共に画像ファイリングシステムのデータベースにファイリングするようなっていた。そして、検査終了後は、分類カウント結果を印字すると共に、必要に応じて異常血液細胞の画像を印刷して検査結果としていた。
【０００３】
こうした血液細胞の検査においては、ファイリングしておきたい画像が分類作業中に見つかる場合が多いが、従来は、分類カウント作業は専用の分類卓で行い、顕微鏡画像の取り込みは画像ファイリングシステムの端末キーボードを操作していたため、操作系が２つに分かれて作業効率が悪かった。
【０００４】
また、検査対象の過去の血液像を参照する場合にも、分類卓側で検査対象の識別情報を入力しても、画像ファイリングシステム側で再度識別情報を入力してデータベース検索を行わなければならなかった。
【０００５】
上記問題を解決すべく、分類カウンタ機能を持たせた画像ファイリングシステムが特許文献１に開示されている。ここに開示されている画像ファイリングシステムは、検査対象の分類データを入力する機能を設けて、分類データを表示できるようにし、画像の取り込み時には、取り込みが指示された画像を、その識別番号に対応する被験者情報と共にデータベースに記憶するようにしたため、分類作業と画像取り込み作業とを連続して行うことができる。被験者情報の入力が不要となり作業の効率化を図ることもできる。この画像ファイリングシステムには、入力手段に、観察された検査対象の分類データを入力する機能を設け、制御手段に、入力された分類データを、その分類データにおける検査対象の画像と共に表示手段に表示させる機能をさらに設けることが望ましいことも開示されている。
【特許文献１】特開平１０−２７５１５０号公報
【発明の開示】
【発明が解決しようとする課題】
【０００６】
ところで、臨床検査方法によっては、分類項目のカウンタ値が表示されるだけでは十分ではなく、カウンタ値を演算して、その演算結果を臨床検査値として臨床診断に利用する場合がある。例えば、慢性骨髄性白血病等の診断には、好中球アルカリホスファターゼ（Neutrophil Alkaline Phosphatase; ＮＡＰ）スコアが用いられる。ＮＡＰスコアは、末梢血中の成熟好中球のアルカリホスファターゼ（ＡＬＰ）活性の程度を、末梢血液標本のＡＬＰ染色による陽性顆粒の密度に基づいて分類してカウントし、得られたカウンタ値を所定の演算式を用いて演算して得られるスコアである。慢性骨髄性白血病や発作性夜間血色素尿症等では、このＮＡＰスコアが200以下となり、一方、原発性骨髄線維症や急性リンパ性白血病ではＮＡＰスコアが320以上となることが知られている。
【０００７】
ところが、特許文献１に開示されている画像ファイリングシステムでは、分類カウンタ機能によってカウンタ値をファイリングすることはできても、カウンタ値から臨床診断上有用な臨床検査値を演算する機能がないために、記憶されたカウンタ値から使用者が臨床検査値を別途計算しなければならなかった。
【０００８】
本発明の臨床標本情報処理装置、臨床標本情報処理システム及び臨床標本情報処理プログラムは、上記先行技術の欠点を改良し、臨床診断に有用な臨床検査値をカウンタ値から演算し、出力することによって使用者に提供することを目的とする。
【０００９】
本発明の臨床標本情報処理装置、臨床標本情報処理システム及び臨床標本情報処理プログラムは、上記目的を達成するために、入力されたカウンタ値から臨床検査値を演算させる機能を有し、カウンタ値から臨床検査値を演算させるための演算式を使用者が任意に、かつ容易に設定し得るよう構成されたものである。
【００１０】
すなわち、本発明の臨床標本情報処理装置は、
臨床標本から得られる情報を処理し、前記情報から臨床検査値を取得する臨床標本情報処理装置であって、
前記臨床標本内の検査対象物を、所定の分類項目毎にカウントしたカウント値を記憶するカウント値記憶手段と、
前記臨床検査値を、前記カウント値から演算するための演算式を記憶する演算式記憶手段と、
前記演算式を使用して前記カウント値から前記臨床検査値を演算する演算手段と、
前記演算手段によって得られる前記臨床検査値を診断用項目と対応付けて出力する出力手段と、を備える。
【００１１】
前記演算式記憶手段に記憶される演算式を、前記診断用項目と対応付けて設定するための演算式設定手段をさらに備えてもよい。
【００１２】
実際のカウント値を、カウント値の総数が所定数の場合の前記臨床検査値を演算する演算処理手段をさらに備えてもよい。
【００１３】
前記分類項目にそれぞれ対応するキーを有する入力手段をさらに備え、前記分類項目と前記キーとの対応関係を設定するキー設定手段をさらに備えてもよい。
【００１４】
前記カウント値記憶手段に記憶された前記カウント値を、前記カウント値の総数が所定数である場合の変換カウント値に変換するカウント値変換手段をさらに備えてもよい。
【００１５】
前記演算手段は、前記カウント値変換手段が前記カウント値を変換した場合に、前記臨床検査値を演算するように構成してもよい。これによって使用者は、１つの操作で変換カウント値と臨床検査値とを知ることができる。
【００１６】
前記演算手段は、前記カウント値の総数が所定数に到達した場合に、前記臨床検査値を演算するように構成してもよい。これによって使用者は、特別な操作をせずに臨床検査値を知ることができる。
【００１７】
前記出力手段は、前記分類項目及びそれに対応する前記カウント値を、前記臨床検査値と共に出力するように構成してもよい。
【００１８】
前記臨床検査値の基準範囲を記憶する基準範囲記憶手段と、
前記臨床検査値が前記基準範囲に入っているか否かを判定する判定手段とをさらに備え、
前記判定手段が、前記臨床検査値が前記基準範囲外であると判定する場合に、前記出力手段が前記基準範囲外である旨を出力するように構成してもよい。
【００１９】
前記臨床標本情報処理装置に、前記被験者に関する情報を記憶する管理装置を接続して臨床標本情報処理システムを構成してもよい。
【００２０】
前記演算式は、前記所定の分類項目毎のカウント値に重み付けを行って前記臨床検査値を演算する演算式としてもよい。
【００２１】
前記臨床標本は、血液塗抹標本であってもよい。
【００２２】
前記臨床検査値は、アルカリホスファターゼスコアであってもよい。
【００２３】
さらに、本発明の臨床標本情報処理プログラムは、
記憶手段と、出力手段とを有するコンピュータを、臨床標本内の検査対象物を所定の分類項目毎にカウントしたカウント値を前記記憶手段に記憶させる手段と、
前記カウント値から臨床検査値を演算するための演算式を使用して前記カウント値から前記臨床検査値を演算する演算手段と、
前記演算手段によって得られる前記臨床検査値を、診断用項目と対応付けて前記出力手段に出力させる手段として機能させる。
【００２４】
なお、ここでいう「臨床標本」とは、被験者から採取した試料に関する血液塗抹標本、尿塗抹標本、細胞組織標本（糞便、髄液、喀痰等）等を意味する。また、「キー」とは、パーソナルコンピュータに付属するキーボードのキー、マウスでクリックする画面上のアイコン等及びタッチパネル上のアイコンを含み、「押下する」とは、キーボードのキーを押下すること、画面上のアイコンをマウスでクリックすること及びタッチパネル上のアイコンにタッチすることを含む。
【００２５】
「出力」とは、ディスプレイ等への表示やプリンターを用いた印字やサーバへのデータ出力等を意味する。
【発明の効果】
【００２６】
本発明の臨床標本情報処理装置、臨床標本情報処理システム及び臨床標本情報処理プログラムは、上記構成とすることで、所定の分類項目毎にカウントしたカウント値から自動的に臨床検査値が診断用項目と対応付けて出力されるので、使用者が必要とする診断情報を容易に提供することが可能となる。
【００２７】
また、必要に応じて演算結果を臨床学的分類項目の所定入力総数当たりの数値に換算し、又は演算結果が臨床上正常値であるか否かについても出力させることができ、臨床標本の診断に有用である。
【００２８】
さらに、必要に応じてデータベースサーバと演算を行うパーソナルコンピュータの間で、過去の臨床検査値を含む臨床標本情報及び演算された臨床検査値を送受信させることにより、被験者の臨床検査値の変化を容易に把握することも可能であり、毎回の臨床検査値を他の臨床検査結果等を含む被験者情報と一括してデータベースサーバで保存・管理することも可能である。
【発明を実施するための最良の形態】
【００２９】
以下、本発明の実施の形態を、図面を参照しながら説明するが、本発明は、その要旨を超えない限り下記に限定されるものではない。
（実施の形態１）
図１は、本実施の形態に係る臨床標本情報処理装置の構成を示す概念図である。本実施の形態に係る臨床標本情報処理装置は、パーソナルコンピュータ１と、分類カウント専用キーボード２とを有する。分類カウント専用キーボード２は、パーソナルコンピュータ１に複数の分類項目に対応したカウントを入力するためのキーボードであり、パーソナルコンピュータ１のキーボードで代用することもできる。パーソナルコンピュータ１は、例えば、ノートパソコン又はデスクトップパソコン等で構成されており、ここでは、ノートパソコンで構成されている。パーソナルコンピュータ１は、本体１０４と、本体１０４の外面に設けられたキーボード（以下、付属キーボードという）３と、本体１０４の外面に設けられたマウス４と、本体１０４の蓋部に設けられたディスプレイ５とを備えている。
【００３０】
図２は、図１のパーソナルコンピュータ１の構成を示すブロック図である。図２を参照すると、パーソナルコンピュータ１は、本体１０４の内部にＣＰＵ６、ＲＯＭ７、ＲＡＭ８、出入力インターフェース９、ハードディスクドライブ（図示せず）及びハードディスク１０、画像出力インターフェース１１、及び外部記憶装置１２を有し、これらはバス１０５を介して互いに接続されている。そして、出入力インターフェース９に分類カウント専用キーボード２、付属キーボード３、及びマウス４が接続され、画像出力インターフェース１１にＬＣＤからなるディスプレイ５が接続されている。
【００３１】
ＣＰＵ６は、ＲＯＭ７に記憶されているプログラム及び／又はＲＡＭ８にロードされたプログラムを実行することが可能である。そして、後述するような本発明に係る臨床標本情報処理プログラムをＣＰＵ６が実行することにより、パーソナルコンピュータ１が本発明に係る臨床標本情報処理装置として機能する。
【００３２】
ＲＯＭ７としては、マスクＲＯＭ、ＰＲＯＭ、ＥＰＲＯＭ、ＥＥＰＲＯＭ等が使用できる。ＲＯＭ７には、ＣＰＵ６で実行されるプログラム及びこれに用いるデータ等が記録されている。
【００３３】
ＲＡＭ８としては、ＳＲＡＭ又はＤＲＡＭ等が使用できる。ＲＡＭ８は、ＲＯＭ７、ハードディスク１０、及び外部記憶装置１２に装着された記録媒体１３に記録されているプログラムの読み出しに用いられる。また、これらのプログラムを実行するときに、ＣＰＵ６の作業領域としてこれを一時記憶するのに利用される。
【００３４】
ハードディスク１０は、オペレーティングシステム及びアプリケーションプログラム等、ＣＰＵ６に実行させるための種々のプログラム及び当該プログラムの実行に用いるデータがインストールされている。
【００３５】
外部記憶装置１２としては、例えばＦＤドライブ、ＣＤ−ＲＯＭドライブ、ＤＶＤ−ＲＯＭドライブが使用でき、それぞれ、ＦＤ、ＣＤ−ＲＯＭ、ＤＶＤ−ＲＯＭ等の記録媒体を装着して、それらに対するデータの書き込み及び読み出しを行う。以下、ＲＯＭ７、ＲＡＭ８、ハードディスク１０及び外部記憶装置１２を記憶装置１０２と呼び、このうち、ＲＯＭ７、ＲＡＭ８及びハードディスク１０を内部記憶装置１０３と呼ぶ。
【００３６】
本発明の臨床標本情報処理プログラムは、外部記憶装置１２に装着された記録媒体１３、又は内部記憶装置１０３に記憶され(以下、このように記録あるいは記憶されることを「記憶装置１０２に格納される」と記載する)、ＣＰＵ６が当該プログラムを実行することにより、パーソナルコンピュータ１が本実施の形態に係る臨床標本情報処理装置として機能する。
【００３７】
なお、本発明に係る臨床標本情報処理プログラムは、ここでは、記録媒体１３に記録（格納）されている。通常は、この記録媒体１３が外部記憶装置１２に装着され、ＣＰＵ６によって外部記憶装置１２を介して記録媒体１３から読み出され、ハードディスク１０に記憶される。これにより、当該プログラムがパーソナルコンピュータ１にインストールされる。また、パーソナルコンピュータ１を電気通信回線（有線、無線を問わない）によって外部機器と通信可能に接続することにより、本発明に係る臨床標本情報処理プログラムを、前記電気通信回線を通じて取得するようにしてもよい。例えば、本発明に係る臨床標本情報処理プログラムが、インターネット上のサーバコンピュータのハードディスクに格納されており、このサーバコンピュータにパーソナルコンピュータ１がアクセスして、当該プログラムをダウンロードし、これを例えばハードディスク１０にインストールしてもよい。
【００３８】
出入力インターフェース９は、データ信号をＣＰＵで使用される態様から出入力装置で使用される態様へ、又はその逆に変換するものであり、例えばＵＳＢ、ＩＥＥＥ１３９４、ＲＳ−２３２Ｃ等のシリアルインターフェース、ＳＣＳＩ、ＩＤＥ、ＩＥＥＥ１２８４等のパラレルインターフェース、Ｄ／Ａ変換器、Ａ／Ｄ変換器等からなるアナログインターフェース等が使用できる。
【００３９】
付属キーボード３、マウス４及び、分類カウント専用キーボード２は、入力装置１０１（入力手段）を構成しており、使用者は、これら入力装置１０１を操作して所要のデータをパーソナルコンピュータ１に入力することができる。入力装置１０１から入力されたデータは、出入力インターフェース９を通じてＣＰＵ６に送られ、ＣＰＵ６がこれを適宜処理する。
【００４０】
画像出力インターフェース１１は、画像信号をＣＰＵ６で使用される態様からディスプレイ５で使用される態様へ変換するものであり、例えば、ＣＰＵ６から出力された画像信号をＤ／Ａ変換するとともに、ディスプレイ５を駆動可能なレベルに増幅してディスプレイ５に入力する。ディスプレイ５は、この入力された画像信号に従って、画像を表示する。
【００４１】
次に、記憶装置１０２に格納されている臨床標本情報処理プログラムが実行されて実現される、実施の形態１に係る臨床標本情報処理装置の動作について説明する。この臨床標本情報処理プログラムは、例えば米国マイクロソフト社が製造販売するWindows（登録商標）等のグラフィカルユーザインターフェースを備えるオペレーティングシステム上で動作する。
【００４２】
以下、臨床標本情報処理装置の動作を、メイン画面の表示、分類カウント画面の表示、キー設定、演算式設定、トータル設定、基準値設定、及び分類カウント制御の順に説明する。
【００４３】
図３は、分類カウント画面の一例を示す図である。図１乃至図３を参照して、入力装置１０１を適宜操作して臨床標本情報処理プログラムを起動すると、ここでは図に表していないが、「分類カウント画面」、「演算式・キーアサイン設定画面」及び「基準値設定画面」という３つのボタンが設けられたメイン画面が、ディスプレイ５（出力手段）に表示される。このメイン画面において、まず、「分類カウント画面」のボタンをクリックすると、図３の分類カウント画面が表示される。図３に示すように、分類カウント画面１４には、主にカウント項目領域１５、演算結果項目領域１９、及び被検者情報表示領域２４が設けられている。被検者情報表示領域２４は省略してもよい。
【００４４】
カウント項目領域１５には、臨床学的分類項目欄１６、カウント値欄１７、臨床学的分類項目に対応するキー番号表示欄１８が設けられ、演算結果項目領域１９には、臨床検査名称欄２０、判定欄２１、臨床検査値欄２２、演算式番号表示欄２３が設けられている。
【００４５】
これらの欄には、それぞれ12個の表示区域が設けられている。臨床学的分類項目欄１６には、上から順に「ＡＰ０」，「ＡＰ１」，「ＡＰ２」，「ＡＰ３」，「ＡＰ４」，「ＡＰ５」の臨床学的分類項目が表示されている。カウント値欄１７には、上から順に、「９」，「10」，「１」，「２」，「１」，「２」のカウント値が表示されている。キー番号表示欄１８には、上から順に、「ａ」，「ｂ」，「ｃ」，「ｄ」，「ｅ」，「ｆ」のキー種類が表示されている。臨床検査名称欄２０には、「ＮＡＰ」の臨床検査名称（診断用項目）のみが表示されている。判定欄２１には、「Ｌ」の判定結果が表示されている。演算式番号表示欄２３には、「１」の演算式番号が表示されている。判定結果「Ｌ」と臨床検査値「128」と演算式番号「１」とは、全て臨床検査名称「ＮＡＰ」に対応している。
【００４６】
判定欄２１は、この臨床標本情報処理プログラムにおける判定機能を省略する場合には、これを省略してよい。演算結果項目領域１９の右斜め下にはカウント切替ボタン２５、カウント型表示欄２６が設けられている。カウント切替ボタン２５、カウント型表示欄２６の機能については、分類カウント制御のところで説明する。
【００４７】
ここで、この分類カウント画面１４では、使用者がマウス４を操作して、カーソルをカウント切替ボタン２５に合わせクリックすることにより、このクリックの入力信号がＣＰＵ６に伝達され、ＣＰＵ６がこのボタンに割り当てられた処理を実行し、この処理結果を表示するための画像信号を、ＣＰＵ６が表示装置５に送出して処理結果が表示される。また、マウス４を操作して、カーソルを画面上の所定入力欄に移動し、当該入力欄に文字、数字又は記号を入力し、確定させることにより、本実施の態様に係る臨床標本情報処理装置の処理に必要な文字等の入力を行うことができる。このように表示画面上の所定位置をクリックすることにより、所定の情報をＣＰＵ６に入力する手法、及び所定入力欄から文字等を入力する手法は周知であるので、そのプログラム上の構成の説明は省略する。また、以下では、カーソルを所定位置に合わせてクリックすることにより、所定の情報をＣＰＵ６に入力することを、単に「クリックする」と記載し、カーソルを所定入力欄に合わせてそこから文字等を入力することを単に「入力する」と記載する。
【００４８】
被験者情報表示領域２４には、被験者ＩＤや被験者氏名、年齢、性別及び診療科を含む被験者情報等の被験者属性情報を表示及び入力する欄が設けられている。被験者ＩＤは、被検者指定情報を例示したものであり、他のものでも構わない。この被験者情報表示領域２４に表示される被験者属性情報は、記憶装置１０２（ここではハードディスク１０）に記憶されている。そして、使用者が被験者ＩＤを、被験者ＩＤ欄に入力すると、ＣＰＵ６が記憶装置１０２に記憶されている被験者情報を呼び出して被験者氏名欄等に表示する。これにより、使用者は、入力した被験者ＩＤ欄からの被験者情報を確認することができる。
【００４９】
さらに、記憶装置１０２（ここではハードディスク１０）に被験者属性情報と関連して当該被験者の過去の臨床検査結果を含む臨床検査情報を記憶させておき、上述の被検者属性情報を表示する際にこれを同時に呼び出して、分類カウント画面１４のカウント項目領域１５及び演算結果項目領域１９に表示するように当該プログラムを構成してもよい。このように構成すると、使用者は、指定した被験者の過去のカウント数や臨床検査値も確認することが可能となり、被験者の診断等に有用である。
【００５０】
臨床学的分類項目欄１６は、被験者から試料を採取して作製した臨床標本について実施する臨床検査において、臨床検査値を演算するために必要な検査対象物の臨床学的分類の名称を入力するための欄である。図３には、ＡＰ０〜ＡＰ５までの６種類の臨床学的分類項目が入力された例が示されている。この入力は、マウス４を操作してカーソルを臨床学的分類項目欄１６の１番目に移動させ、当該欄内に「ＡＰ０」という記号を入力し、キーボード３のエンターキーを押下して確定することにより行う。
【００５１】
なお、他のコンピュータから「ＡＰ０」に対応する情報を送信することにより入力してもよい。ＡＰ１〜ＡＰ５の記号についても同様にして入力する。
【００５２】
キー番号表示欄１８は、上述の臨床検査において、臨床標本を臨床学的分類項目に分類して、その分類ごとの臨床標本数をカウントする際に、これをパーソナルコンピュータ１に入力するために用いられるキーの種類を表示するものである。このキーを臨床学的分類項目と対応付けて設定する方法を、以下、説明する。
【００５３】
入力された臨床学的分類項目に対応するキーを設定するためには、まず、入力装置１０１を適宜操作して画面切替操作、例えば特定のファンクションキーを入力することにより、分類カウント画面１４からメイン画面に一旦切り替える。次に、メイン画面において、「演算式・キーアサイン設定画面」のボタンをクリックすると、図４に示すキーアサイン及び演算式設定画面２７に画面が切り替わる。キーアサイン及び演算式設定画面２７には、トータル値設定領域２８、キーアサイン設定領域２９、及び臨床検査名称・演算式設定領域３０が設けられている。トータル値設定領域２８には、トータル値設定部３１と増分値設定部３２が設けられている。キーアサイン設定領域２９には24個のキーアサイン設定部３３が設けられている。臨床検査名称・演算式設定領域３０には、臨床検査名称設定部３４、演算式設定部３５及び演算型設定部３６が設けられている。キーアサイン設定領域２９の各キーアサイン設定部３３には、分類カウント画面１４の臨床学的分類項目欄１６に表示される臨床学的分類項目が表示される。例えば、図３における臨床学的分類項目欄１６の１番目であるＡＰ０の分類項目に対応するキーは、「ＡＰ０」と表示された１番目のキーアサイン設定部３３において設定する。
【００５４】
ここでは、図５に例示する分類カウント専用キーボード２の特定キーを、臨床学的分類項目ＡＰ０〜ＡＰ５と対応付けて設定する例について説明する。
【００５５】
図５は、分類カウント専用キーボード２の平面図である。分類カウント専用キーボード２は、ファンクションキー配置部７１と、矢印キー配置部７２と、補助キー配置部７３と、アルファベットキー配置部７４と、数字キー配置部７５とを備える。ファンクションキー配置部７１に配置された各キーは、キーボード３の「Ｆ１」キー、「Ｆ２」キー、「Ｆ３」キー等のファンクションキーと同様の構成である。矢印キー配置部７２に配置された各キーは、キーボード３の「↑」キー、「→」キー等の矢印キーと同様の構成である。補助キー配置部７３に配置された各キーは、キーボード３の「Ctrl」キー、「Shift」キー等の補助キーと同様の構成である。アルファベットキー配置部７４に配置された各キーは、キーボード３の「Ａ」キー、「Ｂ」キー等のアルファベットキーと同様の構成である。数字キー配置部７５に配置された各キーは、キーボード３の「１」キー、「２」キー等の数字キーと同様の構成である。アルファベットキー配置部７４には、「Ａ/ａ」キー７４ａから「Ｌ/ｌ」キー７４ｌまでの12個のアルファベットキーが配置されている。
【００５６】
図１、図２、図４、図５を参照して、ＡＰ０に対応するキーを設定する場合、まず、入力装置１０１を適宜操作してカーソルを１番目のキーアサイン設定部３３に移動し、「黒色逆三角形のマーク」をクリックする。すると、プルダウンメニュー(図示せず)に「ａ〜ｌ」及び「Ａ〜Ｌ」のアルファベット24文字が表示される。カーソルを「ａ」の位置に合わせてクリックすることにより、ＡＰ０と「Ａ/ａ」キー７４ａが対応付けられて内部記憶装置１０３（ここではハードディスク１０）に記憶され、これにより、「Ａ/ａ」キー７４ａが臨床学的分類項目ＡＰ０に対応付けられるよう設定される（キー設定手段）。ＡＰ１〜ＡＰ５についても同様にして「Ｂ/ｂ」〜「Ｆ/ｆ」キーとの対応関係が設定される。
【００５７】
次に、臨床検査名称設定部３４及び演算式設定部３５について説明する。この臨床標本情報処理プログラムでは、臨床標本の臨床学的分類項目ごとのカウント値に基づいて臨床検査値が演算される。臨床検査名称設定部３４及び演算式設定部３５（演算式設定手段）は、この臨床検査値の演算式の設定に用いられる。図４のキーアサイン及び演算式設定画面２７において、まず、臨床検査名称設定部３４に診断に用いられる項目を示す臨床検査値の名称又は記号等（臨床検査名称）を、キーボード３とマウス４を使用して入力し、演算式設定部３５に臨床検査値の演算式を、臨床検査名称と対応付けて入力する。この演算式の入力は、カーソルを演算式設定部３５の所定箇所に移動し、キーアサイン設定部３３で設定したアルファベットキーの記号と、所定の係数を用いた四則計算式を入力することにより行う。すると、ＣＰＵ６は、臨床検査名称設定部３４に入力された臨床検査名称を、演算式設定部３５に入力された演算式と対応させて、内部記憶装置１０３（ここではハードディスク１０）の演算式記憶領域（演算式記憶手段）に記憶させる。これにより、入力された臨床検査名称及び臨床検査値の演算式が設定される。
【００５８】
ここで、演算式の例として、臨床検査名称の一つであるＮＡＰスコアに対応する臨床検査値を算出するための演算式について説明する。ＮＡＰスコアは、末梢血中の成熟好中球のＡＬＰ活性を示す指標であり、朝長法による具体的測定方法は以下の通りである。なお、本実施形態では、ＮＡＰスコアを「ＮＡＰ」と省略して臨床検査名称設定部３４に入力している。
【００５９】
静脈全血又は骨髄血をウェッジ法でスライドグラスに塗抹、固定して臨床標本とし、リン酸ナフトールAS-MZ、N,N’-ジメチルホルムアミド、及び2-アミノ-2-メチル-1,3-プロパンジオール及びFast Blue RRを含む反応液を前記臨床標本上に満載し、37℃、120分反応させる。水洗後、１％サフラニンＯ水溶液を臨床標本上に満載し、５分間核染色する。水洗、乾燥後、倍率1000倍で油浸して検鏡する。好中球細胞質内のＡＬＰ陽性顆粒は、青色に染色されるので、成熟好中球における陽性顆粒数の数を判定し、ＡＰ０〜ＡＰ５の臨床学的分類項目に分類する；
(1) ＡＰ０：陽性顆粒なし、
(2) ＡＰ１：陽性顆粒５個以下、
(3) ＡＰ２：容易に計数できる程度（陽性顆粒６〜30個）、
(4) ＡＰ３：陽性顆粒30個以上で不均一に分布する、
(5) ＡＰ４：陽性顆粒が均一に分布するが間隙がある、
(6) ＡＰ５：陽性顆粒が均等に密に分布し、ほとんど間隙がない。(1)〜(6)の分類は、それぞれ０〜５点と規定する。
【００６０】
そして、100個の成熟好中球を観察し、それぞれの成熟好中球について(1)〜(6)に分類する。ＮＡＰスコアは、各成熟好中球（100個の成熟好中球）の得点の合計である。
【００６１】
ＡＰ０〜ＡＰ５の個数は、ａ〜ｆ（ａ＋ｂ＋ｃ＋ｄ＋ｅ＋ｆ＝100）のカウント数、すなわち、アルファベットキー７４ａ〜７４ｆの押下回数で表すことができるため、ＮＡＰという臨床検査名称と「ｂ＋２ｃ＋３ｄ＋４ｅ＋５ｆ」という演算式とを、それぞれ、臨床検査値名称設定部３４及び演算式設定部３５に入力することにより、入力された臨床検査名称及び演算式をＣＰＵ６が内部記憶装置１０３の演算式記憶領域に記憶させる。これによりＮＡＰスコアの演算式が設定される。ここで、「２」，「３」，「４」，「５」という係数は、変数ｂ〜ｆに対する重みであり、上記分類(1)〜(6)をそれぞれ０〜５点と規定したことに起因する。ＣＰＵ６は、所定の演算指示入力があると、内部記憶装置１０３の押下回数記憶領域（押下回数記憶手段）に記憶されている各臨床学的分類項目の押下回数、すなわち、アルファベットキー７４ａ〜７４ｆの押下回数と上記演算式からＮＡＰスコアを演算する。この臨床標本情報処理プログラムでは、使用者が任意の四則演算式を演算式設定部３５に入力することにより、臨床検査値を演算するための演算式を容易に設定することが可能である。なお、入力された演算式が演算式設定部３５の何行目であるかは、分類カウント画面１４の演算式番号表示欄２３に表示される。
【００６２】
次に、トータル値設定部３１について説明する。このトータル値設定部３１は、臨床学的分類項目のカウントを行う際に、第１に、次に述べるように、カウント値がその値に到達すると臨床検査値が自動的に演算される押下回数の総数を設定するために用いられ、第２に、後述するように、臨床検査値が自動的に％数値形に変換される場合における押下回数の総数を設定するために用いられる。例えば、ＮＡＰスコアの場合、臨床検査値を演算するための押下回数の総数である100をトータル値設定部３１に入力すると、この100がトータル値として設定される。これにより、後述するように、アルファベットキー「Ａ/ａ」〜「Ｆ/ｆ」を押し下げて臨床標本をカウントすると、アルファベトキー「Ａ/ａ」〜「Ｆ/ｆ」の押下カウント数の総数がａ＋ｂ＋ｃ＋ｄ＋ｅ＋ｆ＝100に到達した時点で、キーａ〜ｆの押下回数の記憶が中止され、自動的にＮＡＰスコアが演算される。
【００６３】
増分値設定部３２には、押下回数の総数がトータル値設定部３１で設定した所定数を超え、カウント終了後になった後もカウントを継続する場合に、設定した所定数に加算する増分を設定する。設定方法は、トータル値の設定と同様である。これにより、後述するように、アルファベットキー「Ａ/ａ」〜「Ｆ/ｆ」の押下回数の総数が設定された増分値に到達した時点で、アルファベットキー「Ａ/ａ」〜「Ｆ/ｆ」の押下回数の記憶が中止され、自動的にＮＡＰスコアが演算される。
【００６４】
次に、演算型設定部３６について説明する。演算型設定部３６は、演算式設定部３５で設定した演算式を用いて臨床検査値を演算する際、実際のカウント数を用いるか（「＃」）、又は所定カウント総数あたりのカウント数に換算したカウント数を用いるか（「％」）を選択・設定する機能を有する。演算型設定部３６で演算型を「＃」と設定しておけば、カウント終了時にカウント総数が所定数未満であっても、実際のカウント数に基づいて臨床検査値が演算されることになる。例えば、ＮＡＰスコアの場合、演算型が「＃」に設定されると、実際の押下回数に基づいてＮＡＰスコアが算出される。
【００６５】
一方、演算型設定部３６で演算型を「％」と設定しておけば、カウント終了時にカウント総数が所定カウント総数未満であれば、実際のカウント数を所定カウント総数あたりのカウント数に変換したカウント数に基づいて臨床検査値が演算されることになる。なお、所定カウント総数が例えば１００に設定されていて、ＮＡＰスコアの場合、演算型が「％」に設定されると、後述するように、カウントが終了した時点で、記憶装置１０３の押下回数記憶領域が記憶している臨床学的分類項目毎の押下回数が、押下回数の総数が100である場合の押下回数に変換される（押下回数変換手段）。例えば、実際の押下回数の総数が50であった場合、演算型設定部３６で演算型切替を「％」に設定していれば、ＣＰＵ６は、アルファベットキー「Ａ/ａ」〜「Ｆ/ｆ」の押下回数を100/50＝２倍してＮＡＰスコアを算出する。なお、実際のカウント数を用いて演算されたＮＡＰスコアを、カウント数の総数が所定数（例えば100）となるように変換することによって臨床検査値（％型）を演算してもよい。
【００６６】
この演算型を設定するには、入力装置１０１を適宜操作してカーソルを演算型設定部３６に移動し、「黒色逆三角形のマーク」をクリックする。すると、プルダウンメニューに「％」及び「＃」という記号が表示されるので、「＃」の位置でクリックすると、演算型が「＃」に設定される。同様に「％」の位置でクリックすると、演算型が「％」に設定される。ここでは、図４に示すように、演算型が「♯」に設定されている。
【００６７】
ＮＡＰスコアのように臨床検査値に基準値が存在する場合、入力装置１０１を適宜操作し、特定のファンクションキーを入力することにより、キーアサイン及び演算式設定画面２７からメイン画面に一旦切り替える。次に、メイン画面において「基準値設定画面」のボタンをクリックすると、図６に示す基準値設定画面３７に画面が切り替わる。基準値設定画面３７には、臨床検査名称表示欄３８、下限値設定欄３９及び上限値設定欄４０（基準範囲設定手段）が設けられている。
【００６８】
臨床検査名称表示欄３８には、キーアサイン及び演算式設定画面２７において臨床検査名称設定部３４に入力された臨床検査名称が表示される。各臨床検査値の基準値の下限値を下限値設定欄３９に、上限値を上限値設定欄４０に入力することにより、ＣＰＵ６が記憶装置１０３の基準範囲記憶領域（基準範囲記憶手段）に下限値及び上限値を記憶させる。これにより、上記上限値及び下限値が設定される。ＮＡＰスコアの場合、一例として正常値の下限が200、上限が320とされているため、カーソルを下限値設定欄３９に移動して「200」という数字を入力する。また、上限値設定欄４０に移動して「320」という数字を入力する。なお、下限値又は上限値の一方しか設定されていない臨床検査値の場合には、下限値又は上限値の一方のみ入力してこれを設定する。これにより、後述するように、ＣＰＵ６（判定手段）は、演算した臨床検査値（ここではＮＡＰスコア）が、設定された基準範囲に入っているか否か判定し、基準範囲外であれば前記基準範囲外である旨を分類カウント画面１４の判定欄２１に表示させる。この基準値の設定の終了後、特定のファンクションキーを入力することにより、基準値設定画面３７からメイン画面に一旦切り替えた後、「分類カウント画面」のボタンをクリックし、図３の分類カウント画面１４に切り替えて、臨床標本の観察を行いつつ、分類カウントを行う。
【００６９】
次に、この分類カウントの制御について説明する。図７及び図８は、分類カウント制御の内容を示すフローチャートである。図１乃至図３、並びに図７及び図８を参照して、上述のように、キー設定、演算式設定、トータル値設定、及び基準値設定が終了し、ディスプレイ５の画面が分類カウント画面１４に切り替わると、ＣＰＵ６は、以下のように分類カウント制御を行う。ここで、各設定は、図３乃至図６に示すように行われているものとする。従って、ＮＡＰスコアの演算型は、「♯」型になっている。また、増分値が２５として設定されている。
【００７０】
まず、ＣＰＵ６は、ステップＳ２０において、アルファベットキー「Ａ/ａ」〜「Ｆ/ｆ」の押下を待機しており、使用者が所定被験者の臨床標本を検査し、臨床学的分類項目に対応したアルファベットキー「Ａ/ａ」〜「Ｆ/ｆ」を押下すると、このキー押下操作がＣＰＵ６に入力され、ステップＳ２１に進む。ステップＳ２１において、ＣＰＵ６は、押下されたアルファベットキーに対応する分類項目のカウント値を「１」増加させる。次いで、ステップＳ２２において、ＣＰＵ６は、このカウント値を記憶装置１０３（ここではＲＡＭ８）の押下回数記憶領域に記憶させるとともに、ディスプレイ５の分類カウント画面１４のカウント値欄１７に表示する。このカウント値は、実際のカウント数で表示される。
【００７１】
次いで、ＣＰＵ６は、ステップＳ２３において、カウント切替ボタン２５がクリックされたか（又は、カウント切替キー、ここでは分類カウント専用キーボード２又はキーボード３のＦ９キーが入力されたか）否か判定する。ここで、分類カウント画面１４のカウント切替ボタン２５について説明する。このカウント切替ボタン２５は、第１に、カウント値が所定カウント総数（ここでは100）に到達する前にＮＡＰスコアを演算する場合におけるＮＡＰスコア演算開始ボタンとして機能する。第２に、増分値カウントへの移行ボタンとして機能する。第３に、後述するように、カウント終了後にカウント値欄１７に表示されるＡＰ０〜ＡＰ５のカウント数のカウント型を、実際のカウント数（「＃」型）と所定カウント総数（ここでは100）あたりのカウント数（「％」型）との間で切り替えるためのカウント値表示切替ボタンとして機能する。カウント値欄１７に現在表示されているカウント値が「＃」型であるか「％」型であるかは、分類カウント画面１４のカウント型表示欄２６に表示される。なお、このカウント切替ボタン２５によるカウント切替は、図４のキーアサイン及び演算式設定画面２７の演算型設定部３６で設定した演算型とは無関係に、分類カウント画面１４のカウント値欄１７に表示されるカウント数のカウント型のみを切り替える。
【００７２】
カウント値欄１７に表示されるカウント値は、初期設定が「＃」型であるため、図３に示す分類カウント画面１４では、カウント型表示欄２６に「＃」が黒色で表示されている。なお、カウント値が「％」型である場合には、カウント型表示欄２６に「＃」が赤色で表示される。
【００７３】
ステップＳ２３において、使用者がカウント値の総数が100に到達する前にカウントを中止したい場合には、カウント切替ボタン２５をクリックする。すると、ステップＳ４０でカウント型を切り替え、後述するステップＳ２５に進み、ＮＡＰスコアが演算される。ステップＳ２３において、カウント切替ボタン２５がクリックされなければステップＳ２４に進み、カウント値の総数が100に到達したか否か判定する。
【００７４】
ステップＳ２４において、カウント値の総数が100に到達すると、ＣＰＵ６は、ステップＳ２５に進み、設定された演算型でＮＡＰスコアを演算する。ここでは、「＃」に設定されているので、ＣＰＵ６は、実際のカウント数に基づいてＮＡＰスコアを演算する。さらに、この演算したＮＡＰスコアが基準範囲に入っているか否か判定する。そして、このＮＡＰスコア及びそれが基準範囲に入っているか否かの判定を記憶装置１０３（ここではハードディスク１０）の臨床検査値記憶領域に記憶させるとともに、ディスプレイ５の分類カウント画面１４に表示する（ステップＳ２６）。このとき、キーアサイン及び演算式設定画面２７の臨床検査名称設定部３４に入力された臨床検査名称（ここではＮＡＰ）は、臨床検査名称欄２０に表示され、臨床検査値（ここではＮＡＰスコア）は、臨床検査値欄２２に表示される。ここでは、ＮＡＰスコアは、128となる。また、この値は、下限値設定欄３９に入力された200以下であるため、判定表示欄２１には設定した下限値未満であることを示す「Ｌ(Low)」の記号が表示される。逆に、ＮＡＰスコアが320以上である場合は、判定表示欄２１には設定した上限値を超えることを示す「Ｈ(High)」の記号が表示される。
【００７５】
次いで、ステップＳ２７に進み、カウント切替ボタン２５がクリックされたか否か判定する。そして、カウント切替ボタン２５がクリックされない場合はステップＳ３４に進み、ステップＳ３４においてリターンキーが入力されない場合には、ステップＳ２７に戻る。すなわち、ステップＳ２７及びステップＳ３４では、カウント切替ボタン２５をクリックするかリターンキーを入力するかの待機状態になる。使用者がカウント切替ボタン２５をクリックせず(ステップＳ２７)、リターンキーを入力すると(ステップＳ３４)、この臨床標本情報処理プログラムはリターンする(ステップＳ３５)。すなわち、１つの臨床標本についての分類カウント制御は終了し、上述の分類カウント画面１４の初期表示に戻る。
【００７６】
一方、ステップＳ２７においてカウント切替ボタン２５がクリックされると、ＣＰＵ６は、ステップＳ２８に進み、アルファベットキー「Ａ/ａ」〜「Ｆ/ｆ」が入力されたか否か判定する。そして、アルファベットキー「Ａ/ａ」〜「Ｆ/ｆ」が入力されない場合はステップＳ３１に進み、ステップＳ３１においてカウント切替ボタン２５がクリックされない場合には、ステップＳ２８に戻る。すなわち、ステップＳ２８及びステップＳ３１では、カウントキーを入力するかカウント切替ボタン２５をクリックするかの待機状態になる。
【００７７】
ここで、ステップＳ３１でカウント切替ボタン２５がクリックされると、ＣＰＵ６は、ステップＳ４１に進み、臨床学的分類項目のカウント型を切り替える。そして、ステップＳ３２でＮＡＰスコアが演算され、ステップＳ３３でカウント型が切り替えられた臨床学的分類項目のカウント値とＮＡＰスコアがディスプレイ５に表示される。
【００７８】
ステップＳ２８で、使用者がアルファベットキー「Ａ/ａ」〜「Ｆ/ｆ」を押下すると、対応する分類項目のカウントが“１”増加し(ステップＳ２９)、そのカウント値が分類カウント画面１４に表示される(ステップＳ３０)。
【００７９】
ステップＳ３１でカウント切替ボタン２５がクリックされないと、ステップＳ２８に戻る。
【００８０】
次に、ＮＡＰスコアの演算型が「％」に設定されている場合を説明する。ステップＳ２３において、カウント切替ボタン２５がクリックされない場合、ＣＰＵ６は、上述の場合と同様にステップＳ２１〜Ｓ２４を経てステップ２５に進む。一方、ステップＳ２３において、カウント切替ボタン２５がクリックされると、ＣＰＵ６は、ステップＳ２５に進む。そして、ステップＳ２６において、いずれの場合にも、所定の演算式を用いて「％」型のＮＡＰスコアを演算する。
【００８１】
このように、本発明の臨床標本情報処理装置では、臨床学的分類項目と各カウント数、臨床検査名称と臨床検査値及び判定結果が対応して表示されるため、使用者は、容易に所定被験者の臨床検査結果を理解することが可能である。
【００８２】
本発明の臨床標本情報処理装置で行う演算としては、上述したＮＡＰスコア以外に、血液塗抹標本、尿塗抹標本、細胞組織標本等を対象とする各種臨床検査、又は血球計測装置による血液分析と臨床標本の検鏡による血球分類との差を補正する数値や施設固有の補正計算等が挙げられる。
【００８３】
演算終了後、いずれかの画面の終了ボタンをクリックすると、最新の臨床検査値及び測定日等を含む新たに作成した被験者属性情報は、データベースとしてハードディスク１０又は外部記憶装置１２を通じて記憶媒体１３に記憶させることができる。
（実施の形態２）
図９は、本発明の第２の実施の形態に係る臨床標本情報処理システムの構成を示す概念図である。本実施の形態に係る臨床標本情報処理システムは、パーソナルコンピュータ１、分類カウント専用キーボード２、及びデータベースサーバコンピュータ４１（管理装置）で構成されている。
【００８４】
データベースサーバコンピュータ４１には、被験者情報及びそれに関連して過去の臨床検査結果がデータベースとして格納されている。また、データベースサーバコンピュータ４１とパーソナルコンピュータ１は、互いの出入力インターフェースを通じて接続されており、臨床標本情報処理装置としてのパーソナルコンピュータ１及び臨床標本情報処理プログラムの主要部分は、実施の形態１と同じである。以下の説明において、パーソナルコンピュータ１の説明として、図２に示した符号と同じ符号を用いる。
【００８５】
次に、この臨床標本情報処理システムの動作を、図１０を用いて説明する。
【００８６】
図１０は本実施の形態２に係る臨床標本情報処理システムにおけるパーソナルコンピュータ１とデータベースサーバコンピュータ４１の間で行われる情報処理の内容を示すフローチャートである。
【００８７】
パーソナルコンピュータ１を起動させると、ＣＰＵ６が起動信号をデータベースサーバコンピュータ４１に送信する（ステップＳ１）。起動信号を受信（ステップＳ２）したデータベースサーバコンピュータ４１は、日付情報をパーソナルコンピュータ１に送信する（ステップＳ３）。
【００８８】
日付情報を受け取ったパーソナルコンピュータ１は、この日付情報をＲＡＭ８に記憶させる（ステップＳ４）。そして、ディスプレイ５に分類カウント画面１４を表示させる。一方、使用者は、臨床標本について臨床検査を行い、臨床標本中の検査対象物の臨床学的分類項目のカウントを行う際、臨床標本に付記されている被験者ＩＤ番号をパーソナルコンピュータ１に入力する。すると、パーソナルコンピュータ１のＣＰＵ６が、データベースサーバコンピュータ４１に入力された被験者ＩＤを送信する（ステップＳ５）。
【００８９】
被験者毎の過去の臨床検査結果を含む臨床検査情報、被験者ＩＤ、及び被験者の氏名、年齢、性別等の被験者情報をデータベースとして内部記憶装置に記憶するデータベースサーバコンピュータ４１は、パーソナルコンピュータ１から受信した被験者ＩＤに対応する臨床検査情報及び被験者情報をデータベース中から検索する（ステップＳ７及び／又はステップＳ８）。該当する情報があれば、データベースサーバコンピュータ４１は、それらの情報をパーソナルコンピュータ１に送信する（ステップＳ９）。当該情報を受信したパーソナルコンピュータ１のＣＰＵ６は、当該情報をディスプレイ５の分類カウント画面１４に表示させる。これにより使用者が当該情報を参照することが可能となる（ステップＳ１０）。
【００９０】
なお、データベースサーバコンピュータ４１は、過去の臨床標本の画像がデータベースに記憶されていれば、パーソナルコンピュータ１から送信される画像問い合わせ信号を受信して、当該画像をデータベース中から検索してパーソナルコンピュータ１に送信することもできる。これによって使用者は、過去の臨床標本の画像を参照することが可能となり、現在の臨床標本と比較することで適切な診断等を行うことができる。
【００９１】
臨床標本についての臨床検査が終了した後、臨床標本内の検査対象物の臨床学的分類及び当該分類から演算した臨床検査値等は、パーソナルコンピュータ１からデータベースサーバコンピュータ４１に送信され（ステップＳ１１）、データベースサーバコンピュータ４１のデータベースに追加される（ステップＳ１３）。
【産業上の利用可能性】
【００９２】
本発明は、医療機器分野において、臨床学的分類項目のカウンタ数から臨床検査値を算出することが可能であり、その演算結果等を臨床検査に有用な情報として使用者に提供することができる臨床標本情報処理装置、臨床標本情報処理システム及び臨床標本情報処理プログラムとして有用である。
【図面の簡単な説明】
【００９３】
【図１】本発明の実施の形態１に係る臨床標本情報処理装置の構成を示す概念図である。
【図２】本発明の実施の形態１に係る臨床標本情報処理装置のパーソナルコンピュータの構成を示すブロック図である。
【図３】分類カウント画面の一例を示す図である。
【図４】キーアサイン及び演算式設定画面の一例を示す図である。
【図５】分類カウント専用キーボードの一例を示す図である。
【図６】基準値設定画面の一例を示す図である。
【図７】本発明の臨床標本情報処理プログラムがコンピュータに実行させる動作を表すフローチャートである。
【図８】本発明の臨床標本情報処理プログラムがコンピュータに実行させる動作を表すフローチャートである。
【図９】本発明の実施の形態２に係る臨床標本情報処理システムの構成を示す概念図である。
【図１０】本発明の実施の形態２に係る臨床標本情報処理システムにおける、パーソナルコンピュータ１とデータベースサーバコンピュータ４１の間で行われるデータのやりとりの一例を示すフローチャートである。
【符号の説明】
【００９４】
１：パーソナルコンピュータ
２：分類カウント専用キーボード
３：パーソナルコンピュータの付属キーボード
４：マウス
５：ディスプレイ
６：ＣＰＵ
７：ＲＯＭ
８：ＲＡＭ
９：出入力インターフェース
１０：ハードディスク
１１：画像出力インターフェース
１２：読出装置
１３：記録媒体
１４：分類カウント画面 
１５：カウント項目領域
１６：カウント項目欄
１７：カウント値欄
１８：キー番号表示欄
１９：演算結果項目領域
２０：臨床検査名称欄
２１：判定欄
２２：臨床検査値欄
２３：演算式番号表示欄
２４：被験者情報表示領域
２５：カウント切替ボタン
２６：カウント型表示部
２７：キーアサイン及び演算式設定画面
２８：トータル値設定値領域
２９：キーアサイン設定領域
３０：臨床検査名称・演算式設定領域
３１：トータル値設定部
３２：増分値設定部
３３：キーアサイン設定部
３４：臨床検査名称設定部
３５：演算式設定部
３６：演算型設定部
３７：基準値設定画面
３８：臨床検査名称表示部
３９：下限値設定部
４０：上限値設定部
４１：データベースサーバコンピュータ
７１：ファンクションキー配置部
７２：矢印キー配置部
７３：補助キー配置部
７４：アルファベットキー配置部
７５：数字キー配置部
１０１：入力装置
１０２：記憶装置
１０３：内部記憶装置
１０４：パーソナルコンピュータ本体
【図１】
2005265475.tif 000002
【図２】
2005265475.tif 000003
【図３】
2005265475.tif 000004
【図４】
2005265475.tif 000005
【図５】
2005265475.tif 000006
【図６】
2005265475.tif 000007
【図７】
2005265475.tif 000008
【図８】
2005265475.tif 000009
【図９】
2005265475.tif 000010
【図１０】
2005265475.tif 000011